(57)【要約】【課題】冷媒回路を流れる冷媒量を削減でき、かつ冷房運転及び暖房運転のいずれにおいても補助熱交換器の性能の低下を抑制できる空気調和機を提供する。【解決手段】圧縮機、室外熱交換器、室外膨張弁、室内膨張弁及び室内熱交換器を順に有する冷媒回路を備える空気調和機であって、前記冷媒回路が、前記室外熱交換器と前記室内膨張弁との間に設けられた、前記室外膨張弁と互いに直列に接続される補助熱交換器と、前記室外熱交換器と前記室内膨張弁との間に設けられ、前記室外膨張弁及び前記補助熱交換器と互いに直列に接続され、前記補助熱交換器と前記室外膨張弁との間を流れる冷媒の流通方向を一方向に整流する整流機構とを備え、冷房運転時及び暖房運転時のいずれにおいても、前記室内膨張弁と前記室外膨張弁の間を流れる冷媒が気液二相状態で搬送され、冷房運転時及び暖房運転時のいずれにおいても、前記補助熱交換器から前記室外膨張弁に向かう方向にのみ前記冷媒が流れるように構成されていることを特徴とする空気調和機である。【選択図】図１
2020101324.tif 000002
【特許請求の範囲】
【請求項１】
圧縮機、室外熱交換器、室外膨張弁、室内膨張弁及び室内熱交換器を順に有する冷媒回路を備える空気調和機であって、
前記冷媒回路が、
前記室外熱交換器と前記室内膨張弁との間に設けられた、前記室外膨張弁と互いに直列に接続される補助熱交換器と、
前記室外熱交換器と前記室内膨張弁との間に設けられ、前記室外膨張弁及び前記補助熱交換器と互いに直列に接続され、前記補助熱交換器と前記室外膨張弁との間を流れる冷媒の流通方向を一方向に整流する整流機構とを備え、
冷房運転時及び暖房運転時のいずれにおいても、前記室内膨張弁と前記室外膨張弁の間を流れる冷媒が気液二相状態で搬送され、
冷房運転時及び暖房運転時のいずれにおいても、前記補助熱交換器から前記室外膨張弁に向かう方向にのみ前記冷媒が流れるように構成されていることを特徴とする空気調和機。
【請求項２】
前記整流機構が、
前記室内膨張弁から前記補助熱交換器へ向かう冷媒の流れのみを許容する第１逆止弁と、
前記室外膨張弁から前記室外熱交換器へ向かう冷媒の流れのみを許容する第２逆止弁と、
前記室外熱交換器から前記補助熱交換器へ向かう冷媒の流れのみを許容する第３逆止弁と、
前記室外膨張弁から前記室内膨張弁へ向かう冷媒の流れのみを許容する第４逆止弁と
を備えるブリッジ回路である、請求項１に記載の空気調和機。
【請求項３】
一端が前記室外膨張弁の上流側に接続され、他端が前記室外膨張弁の下流側に接続されるバイパス流路を備え、
前記バイパス流路が前記室外膨張弁と互いに並列接続される１又は複数の流量調整弁を備える請求項１又は２に記載の空気調和機。
【請求項４】
圧縮機、室外熱交換器、室外膨張弁、室内膨張弁及び室内熱交換器を順に有する冷媒回路を備える空気調和機であって、
前記室外膨張弁が第１膨張弁と第２膨張弁とを、前記室外熱交換器から前記室内膨張弁に向かう方向に順に備えており、
前記冷媒回路が、
前記第１膨張弁と前記第２膨張弁との間に設けられ、前記第１膨張弁及び前記第２膨張弁と互いに直列に接続される補助熱交換器と、
一端が前記第１膨張弁の上流側に接続され、他端が前記第１膨張弁の下流側に接続され、前記第１膨張弁と互いに並列接続される流量調整弁を備える第１バイパス流路と、
一端が前記第２膨張弁の上流側に接続され、他端が前記第２膨張弁の下流側に接続され、前記第２膨張弁と互いに並列接続される流量調整弁を備える第２バイパス流路と、
を備え、
冷房運転時及び暖房運転時のいずれにおいても、前記室内膨張弁と前記第２室外膨張弁の間を流れる冷媒が気液二相状態で搬送されることを特徴とする空気調和機。
【発明の詳細な説明】
【技術分野】
【０００１】
本発明は、空気調和機に関するものである。
【背景技術】
【０００２】
従来、空気調和機として、圧縮機及び室外熱交換器を有する室外ユニットと、室内膨張弁及び室内熱交換器を有する室内ユニットと、冷媒液管及び冷媒ガス管を介してこれらを接続することによって構成した冷媒回路とを備えたものが知られている。この空気調和機は、冷媒回路に充填された冷媒が圧縮機、室外熱交換器、冷媒液管、室内膨張弁、室内熱交換器、冷媒ガス管、圧縮機の順に循環するように構成されている。
【０００３】
ところで近年、キガリ改正によるＨＦＣ（ハイドロフルオロカーボン）冷媒規制の強化やヨーロッパ連合によるＦガス規制の強化等により、ＨＦＣ冷媒の削減が世界規模で求められており、これに伴いＲ４１０Ａ等の冷媒の市場取引価格が上昇している。このような背景から、冷媒回路に充填される冷媒量を低減できる空気調和機の開発が求められている。
【０００４】
特許文献１には、室外ユニットに設けた補助熱交換器と室内熱交換器との間に室外膨張弁を設けて、室内ユニットと室外ユニットとを連絡する冷媒液管を流れる冷媒が気液二相状態になるようにすることで、冷媒回路に充填される冷媒量の低減を図る空気調和機が開示されている。具体的には、冷房運転時において冷媒は、補助熱交換器を通った後に室外膨張弁を通ることにより減圧されて気液二相状態になるように構成されている。また暖房運転時において冷媒は、室内熱交換器を通った後に室内膨張弁で減圧されることで気液二相状態になるように構成されている。
【先行技術文献】
【特許文献】
【０００５】
【特許文献１】特開２０１７−００９１５５号公報
【発明の概要】
【発明が解決しようとする課題】
【０００６】
しかしながら、特許文献１に開示される空気調和装置では、暖房運転時において、気液二相状態の冷媒が、補助熱交換器の上流側に設けられた室外膨張弁によって減圧されることで、補助熱交換器における冷媒の熱交換率が低下してしまう。その結果、気液二相状態で冷媒を搬送しないものに比べて、補助熱交換器の性能が低下してしまうという問題がある。
【０００７】
そこで、本発明は、冷媒回路を流れる冷媒量を削減でき、かつ冷房運転及び暖房運転のいずれにおいても補助熱交換器の性能の低下を抑制できる空気調和機を提供することを主たる課題とするものである。
【課題を解決するための手段】
【０００８】
すなわち本発明に係る空気調和機は、圧縮機、室外熱交換器、室外膨張弁、室内膨張弁及び室内熱交換器を順に有する冷媒回路を備えるものであって、前記冷媒回路が、前記室外熱交換器と前記室内膨張弁との間に設けられた、前記室外膨張弁と互いに直列に接続される補助熱交換器と、前記室外熱交換器と前記室内膨張弁との間に設けられ、前記室外膨張弁及び前記補助熱交換器と互いに直列に接続され、前記補助熱交換器と前記室外膨張弁との間を流れる冷媒の流通方向を一方向に整流する整流機構とを備え、冷房運転時及び暖房運転時のいずれにおいても、前記室内膨張弁と前記室外膨張弁の間を流れる冷媒が気液二相状態で搬送され、冷房運転時及び暖房運転時のいずれにおいても、前記補助熱交換器から前記室外膨張弁に向かう方向にのみ前記冷媒が流れるように構成されていることを特徴とするものである。
【０００９】
このような空気調和機であれば、冷房運転時及び暖房運転時のいずれも、室内膨張弁と室外膨張弁との間を流れる冷媒は気液二相状態で搬送されるように構成されているので、冷媒回路を流れる冷媒量を削減することができる。さらに、補助熱交換器と室外膨張弁との間を流れる冷媒の流通方向を一方向に整流する整流機構を備え、冷房運転時及び暖房運転時のいずれにおいても、補助熱交換器から室外膨張弁に向かう方向にのみ冷媒が流れるように構成されているので、冷房運転時・暖房運転時のいずれにおいても補助熱交換器の性能の低下を抑制することができる。すなわち、冷房運転時においては、補助熱交換器を通過後、室外膨張弁にて冷媒を気液二相状態にするように構成されており、冷媒は密度の高い液相状態で補助熱交換器を通過するので、補助熱交換器の性能を十分に発揮することができる。そして暖房運転時には、室内膨張弁を通って気液二相状態で搬送された冷媒が、整流機構によって補助熱交換器を通過後に室外膨張弁を通るように構成されており、従来の回路構成のように補助熱交換器を通る前に室外膨張弁によって冷媒が減圧されることがないので、補助熱交換器の性能の低下を抑制し、その性能を十分に発揮することができる。
【００１０】
前記整流機構の具体的な態様として、前記室内膨張弁から前記補助熱交換器へ向かう冷媒の流れのみを許容する第１逆止弁と、前記室外膨張弁から前記室外熱交換器へ向かう冷媒の流れのみを許容する第２逆止弁と、前記室外熱交換器から前記補助熱交換器へ向かう冷媒の流れのみを許容する第３逆止弁と、前記室外膨張弁から前記室内膨張弁へ向かう冷媒の流れのみを許容する第４逆止弁とを備えるブリッジ回路を挙げることができる。
【００１１】
前記空気調和機は、一端が前記室外膨張弁の上流側に接続され、他端が前記室外膨張弁の下流側に接続されるバイパス流路を備え、前記バイパス流路が前記室外膨張弁と互いに並列接続される１又は複数の流量調整弁を備えることが好ましい。
このような構成であれば、暖房運転時において室外膨張弁の開度の範囲で室外熱交換器での適切な加熱度制御ができない場合には、バイパス流路に設けた流量調整弁の開度を大きくして室外膨張弁を通る冷媒の流量を低減することで、室外熱交換器の出口加熱度を適正にすることができる。当該構成は、冷媒液管内の冷媒を気液二相状態で搬送する本発明の空気調和機において特に有効である。
【００１２】
本発明の空気調和機はまた、圧縮機、室外熱交換器、室外膨張弁、室内膨張弁及び室内熱交換器を順に有する冷媒回路を備えるものであって、前記室外膨張弁が第１膨張弁と第２膨張弁とを、前記室外熱交換器から前記室内膨張弁に向かう方向に順に備えており、前記冷媒回路が、前記第１膨張弁と前記第２膨張弁との間に設けられ、前記第１膨張弁及び前記第２膨張弁と互いに直列に接続される補助熱交換器と、一端が前記第１膨張弁の上流側に接続され、他端が前記第１膨張弁の下流側に接続され、前記第１膨張弁と互いに並列接続される流量調整弁を備える第１バイパス流路と、一端が前記第２膨張弁の上流側に接続され、他端が前記第２膨張弁の下流側に接続され、前記第２膨張弁と互いに並列接続される流量調整弁を備える第２バイパス流路と、を備え、冷房運転時及び暖房運転時のいずれにおいても、前記室内膨張弁と前記第２室外膨張弁の間を流れる冷媒が気液二相状態で搬送されることを特徴とするものであってもよい。
このような空気調和機であっても、前記した空気調和機と同様の作用効果を奏し得る。
【発明の効果】
【００１３】
このように構成した本発明によれば、冷媒回路を流れる冷媒量を削減でき、かつ冷房運転及び暖房運転のいずれにおいても補助熱交換器の性能の低下を抑制できる空気調和機を提供することができる。
【図面の簡単な説明】
【００１４】
【図１】本実施形態における空気調和機の全体構成を概略的に示す図。
【図２】同実施形態の空気調和機の整流機構の構成を示す図。
【図３】他の実施形態における空気調和機の全体構成を概略的に示す図。
【図４】他の実施形態における空気調和機の全体構成を概略的に示す図。
【発明を実施するための形態】
【００１５】
以下に本発明の一実施形態に係る空気調和機について図面を参照して説明する。
【００１６】
＜装置構成＞
本実施形態の空気調和機１００は、図１に示すように、建物内に設置される室内ユニット１と、建物の屋外に設置される室外ユニット２と、室内ユニット１及び室外ユニット２に冷媒が流通できるように構成されたヒートポンプサイクル（冷媒回路）２００とを備える。なお、本実施形態の空気調和機１００はビル等の大型設備に適用されるものであり、室内ユニット１及び室外ユニット２が設置された後、現地接続配管である冷媒ガス管Ｌｂと冷媒液管Ｌａによって室内ユニット１と室外ユニット２とが接続されるものである。そして、この現地接続配管たる冷媒液管Ｌａや、必要に応じて室内ユニット１内に冷媒が追加充填される。また、冷房運転時及び暖房運転時のいずれにおいても冷媒液管Ｌａ内を通る冷媒が気液二相状態で搬送されるように構成されており、冷媒液管内を通る冷媒が液相状態で搬送されるタイプのものに比べて、現地において冷媒液管Ｌａに追加充填される冷媒量が少なくなるようにされている。
【００１７】
室内ユニット１は、互いに並列接続された室内膨張弁１１Ａ、１１Ｂと、この室内膨張弁１１Ａ、１１Ｂにそれぞれ直列に接続された室内熱交換器１２Ａ、１２Ｂとを備えている。
【００１８】
室外ユニット２は、四方弁２１と、アキュムレータ２２と、圧縮機２３と、室外熱交換器２４と、室外膨張弁２５と、補助熱交換器２６と、冷媒の流れを所定の一方向に整流する整流機構２７とを備えている。
【００１９】
ヒートポンプサイクル２００は、冷房運転と暖房運転とが切り換え可能に構成された冷媒回路である。具体的には、室内膨張弁１１Ａ、１１Ｂ、室内熱交換器１２Ａ、１２Ｂ、四方弁２１、アキュムレータ２２、圧縮機２３、室外熱交換器２４、整流機構２７、補助熱交換器２６及び室外膨張弁２５が接続されたメイン回路２０１を有している。
【００２０】
ここで、ヒートポンプサイクル２００は、室内ユニット１と室外ユニット２間を接続し、これらの間で冷媒を搬送する冷媒ガス管Ｌｂと冷媒液管Ｌａとを備えている。冷媒ガス管Ｌｂはその内部を気体状態又は気体状態に近い気液二相状態の冷媒が流れるものであり、冷媒液管Ｌａは、その内部を気液二相状態の冷媒が流れるものである。冷媒ガス管Ｌｂと冷媒液管Ｌａはいずれも、本実施形態の空気調和機１００が設置される現地にて室内ユニット１および室外ユニット２に接続される現地接続タイプの配管である。冷媒ガス管Ｌｂと冷媒液管Ｌａはそれぞれ、図１に示すように、室内ユニット１が有する接続部Ｐ１１、Ｐ１２と、室外ユニット２が有する接続部Ｐ２１、Ｐ２２に接続されている。
【００２１】
メイン回路２０１において、室内熱交換器１２Ａ、１２Ｂは、その一端が室内膨張弁１１Ａ、１１Ｂに接続され、他端が冷媒ガス管Ｌｂ及び四方弁２１を介してアキュムレータ２２に接続されている。圧縮機２３は、一端がアキュムレータ２２に接続され、他端が四方弁２１を介して室外熱交換器２４に接続されている。室外熱交換器２４はその一端が四方弁２１に接続され、他端が整流機構２７に接続されている。補助熱交換器２６はその一端が整流機構２７に接続され、他端が室外膨張弁２５に接続されている。室内膨張弁１１Ａ、１１Ｂはその一端が冷媒液管Ｌａを介して整流機構２７に接続され、他端が室内熱交換器１２Ａ、１２Ｂに接続されている。
【００２２】
ヒートポンプサイクル２００は、補助熱交換器２６から室外膨張弁２５に流れる冷媒の一部をメイン回路２０１から分岐させて、室内熱交換器１２Ａ、１２Ｂに導くことなく圧縮機２３に導くインジェクション流路２０３をさらに有している。
【００２３】
具体的にこのインジェクション流路２０３は、一端が圧縮機２３のインジェクション口に接続されて、他端が室外膨張弁２５と補助熱交換器２６との間に接続されるインジェクション配管Ｌｃと、インジェクション配管Ｌｃに設けられた流量調整弁たる過冷却膨張弁ＥＶと、インジェクション配管Ｌｃにおける圧縮機２３と電動弁との間に設けられた補助熱交換器２６とから構成されている。なお、補助熱交換器２６は、メイン回路２０１とインジェクション流路２０３とに跨って設けられている。
【００２４】
このようなヒートポンプサイクル２００において、室内熱交換器１２Ａ、１２Ｂは、室内の空気と冷媒との間で熱交換を行うように機能する。室外熱交換器２４は、室外の空気と冷媒との間で熱交換を行うように機能する。室内膨張弁１１Ａ、１１Ｂ、室外膨張弁２５及び過冷却膨張弁ＥＶは、開閉することにより、そこを流れる冷媒の流量を調整する電動弁である。
【００２５】
補助熱交換器２６は、メイン回路２０１を流れる冷媒と、インジェクション流路２０３を流れる冷媒との間で熱交換を行い、メイン回路２０１を流れる冷媒を冷却するように機能する。
【００２６】
整流機構２７は、冷房運転時及び暖房運転時において、補助熱交換器２６と室外膨張弁２５との間を流れる冷媒の流通方向を一方向に整流するように機能する。具体的には、メイン回路２０１において、補助熱交換器２６から室外膨張弁２５に向かう方向にのみ冷媒が流れるように機能する。
【００２７】
具体的にこの整流機構２７は、図２に示すように、４つの逆止弁２７１、２７２、２７３、２７４と、これらを接続する配管とを有するブリッジ回路を含んで構成される。第１逆止弁２７１は、室内膨張弁１１Ａ、１１Ｂから補助熱交換器２６へ向かう冷媒の流れのみを許容する入口逆止弁である。第２逆止弁２７２は、室外膨張弁２５から室外熱交換器２４へ向かう冷媒の流れのみを許容する出口逆止弁である。第３逆止弁２７３は、室外熱交換器２４から補助熱交換器２６へ向かう冷媒の流れのみを許容する入口逆止弁である。第４逆止弁２７４は、室外膨張弁２５から室内膨張弁１１Ａ、１１Ｂへ向かう冷媒の流れのみを許容する出口逆止弁である。
【００２８】
次に、上記した空気調和機１００の冷房運転時及び暖房運転時の動作について説明する。
【００２９】
＜冷房運転時の動作＞
冷房運転時において、ヒートポンプサイクル２００に充填された冷媒は、圧縮機２３、室外熱交換器２４、第３逆止弁２７３、補助熱交換器２６、室外膨張弁２５、第４逆止弁２７４、冷媒液管Ｌａ、室内膨張弁１１Ａ、１１Ｂ、室内熱交換器１２Ａ、１２Ｂ、冷媒ガス管Ｌｂ、アキュムレータ２２、圧縮機２３の順に循環する。
【００３０】
圧縮機２３から送出された高温の気相状態の冷媒は、室外熱交換器２４において低温の室外の空気との間で熱交換されて液化する。その後、整流機構２７（第３逆止弁２７３）を介して補助熱交換器２６に送出され、インジェクション流路２０３を流れる冷媒との熱交換により冷却される。補助熱交換器２６を通過後の液相状態の冷媒は、室外膨張弁２５を通過する際に減圧されて気液二相状態になり、整流機構２７（第４逆止弁２７４）及び冷媒液管Ｌａを通って室内ユニット１に搬送される。ここで冷媒は、室内膨張弁１１Ａ、１１Ｂにおいて更に減圧されて冷却された後、室内熱交換器１２Ａ、１２Ｂにおいて室内の空気との熱交換によって加熱されて気化する。気相状態（厳密には、気相に近い気液二相状態）の冷媒は冷媒ガス管Ｌｂを通って室外ユニット２に搬送され、アキュムレータ２２を通った後、圧縮機２３に吸入される。このように整流機構２７は、冷房運転時において、室外熱交換器２４から流れてくる冷媒を、補助熱交換器２６及び室外膨張弁２５をこの順に通過させた後に室内膨張弁１１Ａ、１１Ｂに流す機能を果たす。
【００３１】
＜暖房運転時の動作＞
暖房運転時において、ヒートポンプサイクル２００に充填された冷媒は、圧縮機２３、冷媒ガス管Ｌｂ、室内熱交換器１２Ａ、１２Ｂ、室内膨張弁１１Ａ、１１Ｂ、冷媒液管Ｌａ、第１逆止弁２７１、補助熱交換器２６、室外膨張弁２５、第２逆止弁２７２、室外熱交換器２４、アキュムレータ２２、圧縮機２３の順に循環する。
【００３２】
圧縮機２３から送出された高温の気相状態の冷媒は、冷媒ガス管Ｌｂを通って室内熱交換器１２Ａ、１２Ｂに搬送され、ここで室内の空気との熱交換によって冷却されて液化する。室内熱交換器１２Ａ、１２Ｂから出た液相状態の冷媒は、室内膨張弁１１Ａ、１１Ｂにおいて減圧されて気液二相状態になり、冷媒液管Ｌａを通って室外ユニット２に搬送される。その後、整流機構２７（第１逆止弁２７１）を介して補助熱交換器２６に送出され、インジェクション流路２０３を流れる冷媒との熱交換により冷却される。補助熱交換器２６を通過後の気液二相状態の冷媒は、室外膨張弁２５において更に減圧されて冷却された後、整流機構２７（第２逆止弁２７２）を通って室外熱交換器２４に送出される。
低温の気液二相状態の冷媒は、室外熱交換２４において高温の室外の空気との熱交換によって加熱された後、アキュムレータ２２を通って、圧縮機２３に吸入される。このように整流機構２７は、暖房運転時において、室内膨張弁１１Ａ、１１Ｂから流れてくる気液二相状態の冷媒を、補助熱交換器２６及び室外膨張弁２５をこの順に通過させた後に室外熱交換器２４に流す機能を果たす。
【００３３】
＜本実施形態の効果＞
このように構成した本実施形態の空気調和機１００によれば、ヒートポンプサイクル２００を流れる冷媒量を削減でき、かつ冷房運転及び暖房運転のいずれにおいても運転効率の低下を抑制することができる。具体的には、室外ユニット２と室内ユニット１間で、冷媒液管Ｌａを流れる冷媒を気液二相状態で搬送するように構成されているので、ヒートポンプサイクル２００に充填される冷媒量を低減することができる。また、メイン回路２０１において、冷房運転時及び暖房運転時のいずれにおいても、補助熱交換器２６から室外膨張弁２５に向かう方向にのみ冷媒が流れるように整流する整流機構２７を備えるので、冷房運転時・暖房運転時のいずれにおいても補助熱交換器２６の性能の低下を抑制することができる。すなわち、冷房運転時においては、補助熱交換器２６を通過後、室外膨張弁２５にて冷媒を気液二相状態にするように構成されており、冷媒は密度の高い液相状態で補助熱交換器２６を通過するので、補助熱交換器２６の性能を十分に発揮することができる。そして暖房運転時においては、室内ユニット１から室外ユニット２内に搬送された冷媒が、整流機構２７によって補助熱交換器２６を通過後に室外膨張弁２５を通るように構成されているため、従来の回路構成のように補助熱交換器を通る前に室外膨張弁によって冷媒が減圧されることがなく、室内ユニット１と室外ユニット２との間で冷媒を気液二相状態で搬送しても、補助熱交換器２６の性能を十分に発揮することができる。
【００３４】
＜変形実施形態＞
なお、本発明は前記実施形態に限られるものではない。
【００３５】
例えば、図３に示すように、一端が室外膨張弁２５の上流側に接続され、他端が室外膨張弁２５の下流側に接続されるバイパス流路２０４をさらに備えていてもよい。バイパス流路２０４は室外膨張弁２５と互いに並列接続される１つの流量調整弁２８たる電動弁を備えていてもよい。また、バイパス流路２０４は、室外膨張弁２５と互いに並列接続される複数の流量調整弁２８たる電動弁を備えていていてもよい。このような構成であれば、暖房運転時において室外膨張弁２５の開度の範囲で室外熱交換器２４での適切な加熱度制御ができない場合には、バイパス流路２０４に設けた流量調整弁２８の開度を大きくして室外膨張弁２５を通る冷媒の流量を低減することで、室外熱交換器２４の出口加熱度を適正にすることができる。
【００３６】
また他の実施形態の空気調和機１００は、整流機構２７を有しない構成であってもよい。例えば図４に示すように、室外膨張弁２５が、第１室外膨張弁２５１と第２室外膨張弁２５２を含み、ヒートポンプサイクル２００が備えるメイン回路２０１が、室内膨張弁１１Ａ、１１Ｂ、室内熱交換器１２Ａ、１２Ｂ、四方弁２１、室外熱交換器２４、第１室外膨張弁２５１、補助熱交換器２６及び第２室外膨張弁２５２がこの順に接続されたものであってもよい。
【００３７】
この実施形態において、一端が第１室外膨張弁２５１の上流側に接続され、他端が第１室外膨張弁２５１の下流側に接続される第１バイパス流路２０４１をさらに備えている。第１バイパス流路２０４１は、第１室外膨張弁２５１と互いに並列接続される１つ又は複数の電動弁たる第１流量調整弁２８１を備えている。またこの実施形態においては、また一端が第２室外膨張弁２５２の上流側に接続され、他端が第２室外膨張弁２５２の下流側に接続される第２バイパス流路２０４２をさらに備えている。第２バイパス流路２０４２は、第２室外膨張弁２５２と互いに並列接続される１つ又は複数の電動弁たる第２流量調整弁２８２を備えている。
【００３８】
このようなものであれば、冷房運転時には、第１流量調整弁２８１を開いておけば、室外熱交換器２４にて凝縮された冷媒は、第１室外膨張弁２５１及び第１流量調整弁２８１を通過して、補助熱交換器２６にて冷却された後、第２室外膨張弁２５２にて減圧されて気液二相状態となり、冷媒液管Ｌａを通って室内ユニット１に搬送される。補助熱交換器２６を通過する前に、第１室外膨張弁２５１に並列接続される第１バイパス流路２０４１を設けているので、第１室外膨張弁２５１の抵抗による冷媒の圧損を低減することができ、補助熱交換器２６の性能の低下を抑制できる。
【００３９】
そして暖房運転時には、第２流量調整弁２８２を開いておけば、室内熱交換器１２Ａ、１２Ｂにて凝縮された冷媒は、第２室外膨張弁２５２及び第２流量調整弁２８２を通過して補助熱交換器２６にて冷却された後、第１室外膨張弁２５１にて減圧されて、室外熱交換器２４に移動する。補助熱交換器２６を通過する前に、第２室外膨張弁２５２に並列接続される第２バイパス流路２０４２を設けているので、第２室外膨張弁２５２の抵抗による冷媒の圧損を低減することができ、補助熱交換器２６の性能の低下を抑制できる。
【００４０】
また暖房運転時において、第１室外膨張弁２５１の開度の範囲で室外熱交換器２４での適切な加熱度制御ができない場合には、第１バイパス流路２０４１に設けた流量調整弁の開度を大きくして第１室外膨張弁２５１を通る冷媒の流量を低減することで、室外熱交換器２４の出口加熱度を適正にすることができる。
【００４１】
この実施形態では、第１バイパス流路２０４１が備える複数の第１流量調整弁２８１の一つ又は複数を、室外熱交換器２４から補助熱交換器２６へ向かう冷媒の流れのみを許容する逆止弁に代えてよく、第２バイパス流路２０４２が備える複数の第２流量調整弁２８２の一つ又は複数を、補助熱交換器２６から室外熱交換器２４へ向かう冷媒の流れのみを許容する逆止弁に代えてもよい。
【００４２】
その他、本発明は前記実施形態に限られず、その趣旨を逸脱しない範囲で種々の変形が可能であるのは言うまでもない。
【符号の説明】
【００４３】
１００・・・空気調和機
１１Ａ、１１Ｂ  ・・・室内膨張弁
１２Ａ、１２Ｂ  ・・・室内熱交換器
２３  ・・・圧縮機
２４  ・・・室外熱交換器
２５  ・・・室外膨張弁
２６  ・・・補助熱交換器
２７  ・・・整流機構
２００・・・ヒートポンプシステム（冷媒回路）
【図１】
2020101324.tif 000003
【図２】
2020101324.tif 000004
【図３】
2020101324.tif 000005
【図４】
2020101324.tif 000006